(57)【特許請求の範囲】
【請求項１】
照明トンネル（１０，１１）、二重レンズ、前記照明トンネル内で前記二重レンズ上に可視照明照準点を形成する発光ダイオード（１４）、および周囲光の強度に拠って前記照明照準点の明度を制御するための周囲光を感知するセンサ（２５）を有する光学照準具において、
前記照明トンネルは先端および基端を有する管により形成され、
前記二重レンズは前記管の先端に設置され、前記二重レンズのレンズ間には前記発光ダイオード（１４）光を反射する膜（１３）が配置されており、
前記照明照準点は前記管の基端から観察でき、かつ、
前記センサは前記発光ダイオード（１４）の近傍領域で前記管内に設置されていて、光学照準具を通る照準領域から先端を介して前記管へ侵入する周囲光によってのみ影響を受けることを特徴とする光学照準具。
【請求項２】
前記センサ（２５）はフォトダイオードであることを特徴とする、請求項１による光学照準具。
【請求項３】
前記センサ（２５）は２つのダーリントン（Darlington）結合フォトトランジスタを含むことを特徴とする、請求項１による光学照準具。
【請求項４】
前記センサ（２５）は、前記センサの視界が、前記二重レンズを通る照準領域および前記二重レンズ上の照明照準点を観察するために、前記管の基端から管を覗く人の視界よりも大きくなるように、前記管内に設置されていることを特徴とする、請求項１から３のいずれか一による光学照準具。
【請求項５】
前記発光ダイオード（１４）は電流ミラー回路を介して前記センサ（２５）に接続されていることを特徴とする、請求項１から４のいずれか１による光学照準具。
【請求項６】
可変レジスタ（２７，Ｒ６−Ｒ１５）が前記電流ミラー回路を横切って接続され、それにより前記電流ミラー回路の平衡は前記発光ダイオード（１４）の明度の基本的調整のために可変であることを特徴とする、請求項５による光学照準具。
【請求項７】
前記発光ダイオード（１４）および前記発光ダイオードの明度を制御するための回路の電源は１．５ボルトのＡＮＳＩによるサイズＡＡの単一ペンライトバッテリから成り、前記バッテリは前記発光ダイオードに供給される電位を少なくとも１．６ボルトまで上昇させるためのDC/DCコンバータ（２３）を有する電圧増幅変換回路により前記発光ダイオード（１４）に接続されていることを特徴とする、請求項１から６のいずれか１による光学照準具。
【発明の詳細な説明】
【０００１】
発明の分野
本発明は照明トンネル、前記照明トンネル内に可視照明照準点を形成するために前記照明トンネル内に設置された発光ダイオード、および周囲光の強度に依存して照準点の明度を制御するために周囲光を感知する要素を有する光学照準具に関し、前記明度は、暗い環境で小さく、そのために射撃手は照明照準点によって目がくらむことはなく、また明るい環境では大きく、そのために照準点は明るい背景に対してより良く認識できる。
【０００２】
この種の照準具はＳＥ−Ｂ−４４９，２６２号に開示されている。この照準具は発光ダイオードを動作させるためにパルス電流を生成する発振器、および周囲光に依存して発振器振動数およびパルス長を制御するために周囲光を感知するフォトレジスタを含む。このフォトレジスタを設置する場所についての記載はない。
【０００３】
上記種類の請求項１による照準具は、周囲光を感知する要素、光センサは照明トンネル内に設置される。この要素は、それにより射撃手が照明トンネルから見るときに指定ターゲットを照準しかつ照明トンネル内の可視照明照準点を設定する領域の周囲光を精確に検出する。周囲光に対する照準点の明度のより適正な制御は光センサ要素の視界がターゲット領域に限定されその領域内の周囲光を集積化するときに得られる。フォトレジスタを照明トンネル内に設置することは、フォトレジスタの寸法が大きく、５mmオーダーであり、かつそのためにフォトレジスタが照明トンネルからの視界を遮断するので問題外であり、他方、フォトダイオードは、フォトダイオードが０．２mmオーダーであるのでその設置に好適であり、かつ従ってフォトダイオードはかかる干渉を招来しない。本発明により改良された照準点の明度の制御に加えて、本発明の照準具は消費電力がパルス光源を備えた既知照準具装置よりも少ない点で有利である。
【０００４】
発光ダイオードを有する照準具はＵＳ−Ａ−第４，６６５，６２２号に開示され、かつ発光ダイオードの発光を制御するための電力供給回路はＵＳ−Ａ−第４，３３０，２０６号に開示されている。
好適には、光センサ要素は発光ダイオードの近傍領域に設置される。
本発明による実例形態を添付図面を参照して以下に詳細に説明する。
【０００５】
発明の詳細な説明
本発明の光学照準具はショットガン上に使用され、光学照準具はショットガンのバレルに取り付けられる外管１０、および前記外管１０内に設置され一端部が前記外管１０に固定されかつ他端部が図示されていない調整装置へ固定される内管１１により形成される照明トンネルを含む。前記調整装置は使用するショットガンに本照準具を適合させるために必要な程度まで前記外管１０の長軸に対して前記内管１１の長軸を調整するためのものである。前記内管の一端部には二重レンズ１３が設置され、二重レンズ間には赤色光を反射する膜１３が塗布されている。前記内管の内側には、赤色光ビームを反射膜１３に向けて発射する発光ダイオードから成る光源１４が設けられ、反射膜１３は赤色光ビームを、図１において点線により示したようにその照明管の右端に対面する耐反射膜を有する研磨ガラス板１５の表面へ反射する。射撃手がこの端部から照明トンネルを通してターゲットを見るときに、射撃手が衝撃を加えたいと望むターゲット上のスポット上に設定する赤色点を観察する。
【０００６】
前記外管１０の外側上にバッテリハウジング１６が図２に示されたように設けられ、バッテリハウジング１６は前記外管１０と一体的にまたは前記外管１０に取り付けることのできる分離部として形成されてよい。前記バッテリハウジング１６は前記外管１０の長軸と実質的平行の長軸または前記外管１０の長軸に対して傾斜した角度の長軸を有していてよい。前記バッテリハウジング１６内には筒状バッテリ室１７が設けられ、その一端でネジ蓋１８により閉鎖され、１．５ボルト等級の電圧のANSIによるタイプAAの従来ペンライトバッテリ１９に適した空間を形成しており、電圧は前記バッテリによりバッテリ室１７内の従来コネクタ上へ搬送される。前記バッテリハウジング１６はまた前記発光ダイオードを動作させるために照準具の電気回路システム２１を受ける室２０を含む。この電気回路システム２１は図３を参照して更に詳細に説明される。
【０００７】
バッテリ１９は、参照番号２３により示した米国、Linear Technology Corporationから販売されているDC/DCコンバータLT(登録商標)を基に、それ自体公知の方法により構成された電圧増幅変換回路２２に接続される。この場合、電圧変換回路２２からの出力電圧は３．３ボルト、即ち、前記発光ダイオードを制御するために必要とされるよりも高い電位であり、ターミナルポスト２４に接続され、周囲光に依存して発光ダイオード１４の明度を制御するための回路に接続され、それにより発光ダイオード１４の明度は弱い周囲光で小さく、強い周囲光で大きくなり、それによりその時点の光条件と独立に遮蔽することなく照明照準点は、常時、照準具内で明瞭に視覚観察できる。
【０００８】
上記制御回路は基本的に２つのダーリントン（Darlington）結合フォトレジスタで構成される光センサ２５を含み、かつこの光センサは図１の内管１１内で発光ダイオード１４の領域に設置される。その視界は点線により表示されている。この視界は、光センサが周囲光を集積化するために、射撃手が照準具を覗くときの目の視界よりも広い。前記発光ダイオード１４は、2つのトランジスタ２６を含みかつ左のトランジスタ２６から右のトランジスタ２６へ移動するファクタを正確にするために２つのレジスタＲ４およびＲ５により平衡が保持される電流ミラーにより光センサ２５に接続される。前記電流ミラー１０を横切ってレジスタＲ６−Ｒ１５はスイッチ２７に接続され、前記電流ミラーの平衡は、その時点の光条件（即ち、昼間と夜間）そして照準具内の照明照準点の個人差による知覚に適応する値（基本値）に前記発光ダイオードの明度を粗調整するために、スイッチ２７により変化させることができる。スイッチ２８は発光ダイオードと関連する制御回路との接続のために設けられているが、このスイッチは自動センサ、例えば加速度計により置換されてよく、かかる加速度計が起動するときにバッテリ電圧がその回路に加わるように接続させることができ、かつその電圧は加速度計が所定期間作動しない場合にはスイッチオフされる。前記電圧をスイッチオフする他の可能性はDC/DCコンバータのシャトダウン機能を使用することである。
【０００９】
前記回路システムの１つの潜在的特徴はバッテリ電圧がそのバッテリが電圧増幅変換回路および発光ダイオードを作動させないような低い値に近づくときに発光ダイオードが光ることである。前記発光ダイオードは、前記電圧が前記値に降下するときに消え、その後に短いインターバルでバッテリ電圧が再度回復して発光ダイオードを発光させる。使用者はそれによりバッテリ交換が必要である旨の指示を受ける。
【００１０】
図２の回路システム２１は、上述のごとく内管１１内に装備される発光ダイオード１４および光センサ２５を除き、全体がブロック２１により示されたバッテリハウジング１６内の室２０内に装備されてよい。
【図面の簡単な説明】
【図１】  本発明の光学照準具の照明トンネルを形成する管を軸方向に切断した概略断面図であり、本発明の光学照準具の基本的原理を示す。
【図２】  本発明の光学照準具のバッテリハウジングの拡大軸方向断面図ある。
【図３】  本発明の光学照準具の電気回路システムの回路ブロック図である。
【図１】
0004615733.tif 000002
【図２】
0004615733.tif 000003
【図３】
0004615733.tif 000004